(57)【要約】【課題】アンビルを打撃するハンマの打撃部やハンマが打撃するアンビルの打撃受け部が消耗しにくく、耐久性を有するとともに、消耗した場合にも、補修が容易で、さらに、ハンマの打撃部がアンビルの打撃受け部を打撃したときに発生する打撃音や振動を軽減することができる打撃締付工具を提供すること。【解決手段】ハンマ２とアンビル５間に設定値以上の力が作用したときにアンビル５に対してハンマ２が遊転し、ハンマ２が所定角度遊転した後にハンマ２がアンビル５を打撃することでねじ類を締め付ける打撃締付工具において、ハンマ２が打撃するアンビル５の打撃受け部を、コロ６で構成し、このコロ６を、アンビル５に形成したコロ支持穴５２に回転及び交換可能に配設する。【選択図】　図１
2004050323.tif 000002
【特許請求の範囲】
【請求項１】
ハンマとアンビル間に設定値以上の力が作用したときにアンビルに対してハンマが遊転し、ハンマが所定角度遊転した後にハンマがアンビルを打撃することでねじ類を締め付ける打撃締付工具において、前記アンビルを打撃するハンマの打撃部を、コロで構成し、該コロを、ハンマに形成したコロ支持穴に回転及び交換可能に配設するようにしたことを特徴とする打撃締付工具。
【請求項２】
ハンマとアンビル間に設定値以上の力が作用したときにアンビルに対してハンマが遊転し、ハンマが所定角度遊転した後にハンマがアンビルを打撃することでねじ類を締め付ける打撃締付工具において、前記ハンマが打撃するアンビルの打撃受け部を、コロで構成し、該コロを、アンビルに形成したコロ支持穴に回転及び交換可能に配設するようにしたことを特徴とする打撃締付工具。
【請求項３】
ハンマ又はアンビルに複数個のコロ支持穴を形成するとともに、該コロ支持穴に選択的にコロを配設することにより、前記ハンマが遊転する角度を変更可能にしたことを特徴とする請求項１又は２記載の打撃締付工具。
【請求項４】
ハンマ又はアンビルに形成したコロ支持穴を、コロの直径よりも大きく形成することにより、コロをコロ支持穴内で移動可能にするとともに、該コロをダンパー機構を介して中立位置に保持するようにしたことを特徴とする請求項１、２又は３記載の打撃締付工具。
【発明の詳細な説明】
【０００１】
【発明の属する技術分野】
本発明は、ボルト、ナット等のねじ類の締付作業に用いる打撃締付工具に関するものである。
【０００２】
【従来の技術】
ボルト、ナット等のねじ類の締付作業に用いる打撃締付工具として、従来より、ハンマとアンビル間に設定値以上の力が作用したときにアンビルに対してハンマが遊転し、ハンマが所定角度遊転した後にハンマがアンビルを打撃することでねじ類を締め付けるようにした打撃締付工具が汎用されている。
【０００３】
この打撃締付工具は、ハンマがアンビルを打撃することによって、アンビルの出力軸に打撃回転力を付与し、出力軸に必要に応じてソケット等を介して軽視した係合したねじ類の締め付け作業を行うものである。
【０００４】
【発明が解決しようとする課題】
ところで、この打撃締付工具は、ハンマがアンビルを打撃するものであるため、アンビルを打撃するハンマの打撃部やハンマが打撃するアンビルの打撃受け部が消耗し易く、これにより、打撃締付工具の締付能力が低下する等の問題があった。
【０００５】
そして、ハンマの打撃部やアンビルの打撃受け部が消耗すると、ハンマやアンビル全体を交換する必要があり、維持コストが高くつくという問題があった。
【０００６】
また、ハンマの打撃部がアンビルの打撃受け部を打撃するとき、大きな打撃音や振動が発生するという問題があった。
【０００７】
さらに、従来の打撃締付工具は、ハンマの打撃部がアンビルの打撃受け部を打撃する位置を変更するためには、ハンマやアンビル全体を交換する必要があり、このため、実質上、ユーザー側で打撃位置を変更することが困難なだけでなく、メーカー側でも、多くの種類のハンマやアンビル等の部品を製造しなければならず、部品の共通化が困難で、製造コストが高くつくという問題があった。
【０００８】
本発明は、上記従来の打撃締付工具の有する問題点に鑑み、アンビルを打撃するハンマの打撃部やハンマが打撃するアンビルの打撃受け部が消耗しにくく、耐久性を有するとともに、消耗した場合にも、補修が容易で、さらに、ハンマの打撃部がアンビルの打撃受け部を打撃したときに発生する打撃音や振動を軽減することができる打撃締付工具を提供することを第１の目的とする。
【０００９】
また、本発明は、ハンマの打撃部がアンビルの打撃受け部を打撃する位置を容易に変更することができる打撃締付工具を提供することを第２の目的とする。
【００１０】
【課題を解決するための手段】
上記第１の目的を達成するため、本第１発明の打撃締付工具は、ハンマとアンビル間に設定値以上の力が作用したときにアンビルに対してハンマが遊転し、ハンマが所定角度遊転した後にハンマがアンビルを打撃することでねじ類を締め付ける打撃締付工具において、前記アンビルを打撃するハンマの打撃部を、コロで構成し、該コロを、ハンマに形成したコロ支持穴に回転及び交換可能に配設するようにしたことを特徴とする。
【００１１】
また、同じ目的を達成するため、本第２発明の打撃締付工具は、ハンマとアンビル間に設定値以上の力が作用したときにアンビルに対してハンマが遊転し、ハンマが所定角度遊転した後にハンマがアンビルを打撃することでねじ類を締め付ける打撃締付工具において、前記ハンマが打撃するアンビルの打撃受け部を、コロで構成し、該コロを、アンビルに形成したコロ支持穴に回転及び交換可能に配設するようにしたことを特徴とする。
【００１２】
ここで、上記第１発明及び第２発明の打撃締付工具の構成を組み合わせることにより、ハンマの打撃部及びアンビルの打撃受け部の両方をコロで構成することができる。
【００１３】
この打撃締付工具は、ハンマの打撃部やアンビルの打撃受け部を、コロ支持穴に回転及び交換可能に配設したコロで構成するようにしているので、ハンマの打撃部やハンマが打撃するアンビルの打撃受け部が消耗しにくく、耐久性を有するとともに、消耗した場合にも、コロのみを交換すればよいため補修が容易で、さらに、ハンマの打撃部がアンビルの打撃受け部を打撃したときに発生する打撃音や振動を軽減することができる。
【００１４】
この場合において、上記第２の目的を達成するため、ハンマ又はアンビルに複数個のコロ支持穴を形成するとともに、該コロ支持穴に選択的にコロを配設することにより、前記ハンマが遊転する角度を変更可能にすることができる。
【００１５】
これにより、ハンマやアンビル全体を交換することなく、コロの配設位置を変更するだけで、ハンマの打撃部がアンビルの打撃受け部を打撃する位置を容易に変更することができ、これにより、ユーザー側で打撃位置を変更することが可能となるだけでなく、メーカー側でも、多くの種類のハンマやアンビル等の部品を製造する必要がなくなり、部品の共通化を図ることで、製造コストを低廉化することができる。
【００１６】
さらに、ハンマ又はアンビルに形成したコロ支持穴を、コロの直径よりも大きく形成することにより、コロをコロ支持穴内で移動可能にするとともに、該コロをダンパー機構を介して中立位置に保持するようにすることができる。
【００１７】
これにより、ハンマの打撃部がアンビルの打撃受け部を打撃したときに発生する打撃音や振動を一層軽減することができる。
【００１８】
【発明の実施の形態】
以下、本発明の打撃締付工具の実施の形態を図面に基づいて説明する。
【００１９】
図１〜図３に、本発明の打撃締付工具の第１実施例を示す。
この打撃締付工具は、従来の打撃締付工具と同様、エアーモータ、電動モータ等の任意の駆動源の回転を、必要に応じて、適宜の減速機構を介して、スピンドル１に伝達するようにされている。
スピンドル１には複数のＶ字形のカム溝１１が形成されるとともに、このスピンドル１に、内周面に周方向のカム溝２１が形成されたハンマ２が嵌挿され、ハンマ２は、スピンドル１の軸方向に相対移動可能とされている。
そして、スピンドル１のカム溝１１とハンマ２とカム溝２１との間には、鋼球３が介装され、スピンドル１の回転を、鋼球３を介して、ハンマ２に伝達するようにされている。
また、ハンマ２は、ばね４によって、先端側（図１において左側）に常時付勢されている。
ハンマ２の先端側には、アンビル５が、ハウジングＨに対して回転可能に取付けられている。
アンビル５の先端５１は、断面多角形に形成され、これにより、適宜のアタッチメントを介して、ボルト、ナット等のねじ類の頭部に係合させることによって、締付作業を行うことができるようにされている。
【００２０】
ところで、本実施例の打撃締付工具においては、ハンマ２の回転を、アンビル５に伝達するために、ハンマ２の先端側内周面に突部２４が形成されており、一方、アンビル５の後端側にコロ支持穴５２を形成し、このコロ支持穴５２にコロ６を回転及び交換可能に配設するようにしている。
そして、本実施例においては、コロ支持穴５２に嵌挿したコロ６の自由端をアンビル５に嵌合した止め輪５３により抜け止めするようにしている。
【００２１】
次に、この打撃締付工具の動作について説明する。
エアーモータ、電動モータ等の任意の駆動源を回転駆動すると、駆動源の回転は、スピンドル１から、鋼球３を介して、ハンマ２に伝達される。
ところで、ねじ類が軽負荷で締め付けられる場合（ねじ類が着座するまで）は、スピンドル１から、鋼球３を介して、ハンマ２に伝達される力も弱いため、ハンマ２は、ばね４の付勢力によって、先端側（図１において左側）に押し付けられている。このため、スピンドル１の回転が、ハンマ２の突部２４から、この突部２４が当接するアンビル５に配設したコロ６を介して、アンビル５に連続的に伝達され、ねじ類は連続的に締め付けられる。
一方、ねじ類の締付力が大きくなると（ねじ類が着座して締付力が大きくなると）、スピンドル１から、鋼球３を介して、ハンマ２に伝達される力も大きくなる。このため、ハンマ２をカム溝１１に沿ってスピンドル１の基端側（図１において右側）に移動させようとする力も大きくなり、ハンマ２とアンビル５と間に所定値以上の力が作用すると、ハンマ２がスピンドル１の基端側に移動して、ハンマ２の突部２４とアンビル５に配設したコロ６との当接関係が解除され、アンビル５に対してハンマ２が遊転する。そして、ハンマ２の突部２４が、アンビル５に配設したコロ６を乗り越えると、ハンマ２は、ばね４の付勢力によって、先端側（図１において左側）に移動する。これによって、ハンマ２の突部２４とアンビル５に配設したコロ６との当接関係が生じ、ハンマ２は、アンビル５に対して所定角度（本実施例においては、１８０°）遊転した後、ハンマ２の突部２４が、アンビル５に配設したコロ６に衝突する。この遊転と、衝突とが繰り返されることにより、衝突毎にねじ類はより強固に締め付けられることとなる。
【００２２】
この打撃締付工具は、アンビル５の打撃受け部を、従来の突部に代えて、アンビル５の後端側に形成したコロ支持穴５２に回転及び交換可能に配設したコロ６で構成するようにしているので、ハンマ２の突部２４が打撃するアンビル５の打撃受け部が消耗しにくく、耐久性を有するとともに、消耗した場合にも、コロ６のみを交換すればよいため補修が容易で、さらに、ハンマ２の打撃部がアンビル５の打撃受け部を打撃したときに発生する打撃音や振動を軽減することができるものとなる。
【００２３】
ところで、上記第１実施例の打撃締付工具においては、アンビル５の打撃受け部を、アンビル５の後端側に形成したコロ支持穴５２に回転及び交換可能に配設したコロ６で構成するようにしたが、図４に示す本発明の打撃締付工具の第２実施例のように、アンビル５の打撃受け部を打撃するハンマ２の打撃部を、コロ６で構成し、このコロ７を、ハンマ２の前端側に形成したコロ支持穴２２に回転及び交換可能に配設するように構成することもできる。
そして、本実施例においては、コロ支持穴２２に嵌挿したコロ７の自由端をハンマ２に嵌合した止め輪２３により抜け止めするようにしている。
【００２４】
なお、この第２実施例においては、アンビル５の打撃受け部を、上記第１実施例と同様、アンビル５の後端側に形成したコロ支持穴５２に回転及び交換可能に配設したコロ６で構成するようにしているが、従来の突部で構成することを排除するものではない。
【００２５】
この打撃締付工具は、ハンマ２の打撃部を、従来の突部に代えて、ハンマ２の前端側に形成したコロ支持穴２２に回転及び交換可能に配設したコロ７で構成するようにしているので、アンビル５の打撃受け部を打撃するハンマ２の打撃部が消耗しにくく、耐久性を有するとともに、消耗した場合にも、コロ７のみを交換すればよいため補修が容易で、さらに、ハンマ２の打撃部がアンビル５の打撃受け部を打撃したときに発生する打撃音や振動を軽減することができるものとなる。
【００２６】
ところで、図５に示す本発明の打撃締付工具の第３実施例のように、ハンマ２又はアンビル５に形成するコロ支持穴２２、５２を複数個形成するとともに、そのコロ支持穴２２、５２に選択的にコロ６、７を配設することにより、ハンマ２が遊転する角度を変更可能にすることができる。
より具体的には、例えば、図５（Ａ）及び（Ｂ）に示すように、ハンマ２及びアンビル５にコロ支持穴２２、５２を、４個ずつ、このうち、３個は、１２０°の角度間隔をあけて、残りの１個は、１２０°の角度間隔をあけて形成したコロ支持穴２２、５２の中間に形成するようにする。
そして、図５（Ｃ１）に示すように、１個のコロ支持穴２２、５２に、コロ６、７を配設することにより、ハンマ２が遊転する角度を３６０°（ハンマ２の相対的な１回転当たり１打撃）に、図５（Ｃ２）に示すように、１８０°の角度間隔をあけて形成した２個のコロ支持穴２２、５２に、コロ６、７を配設することにより、ハンマ２が遊転する角度を１８０°（ハンマ２の相対的な１回転当たり２打撃）に、図５（Ｃ３）に示すように、１２０°の角度間隔をあけて形成した３個のコロ支持穴２２、５２に、コロ６、７を配設することにより、ハンマ２が遊転する角度を１２０°（ハンマ２の相対的な１回転当たり３打撃）に、それぞれ設定することができる。
【００２７】
これにより、ハンマ２やアンビル５全体を交換することなく、コロ６、７の配設位置を変更するだけで、ハンマ２の打撃部がアンビル５の打撃受け部を打撃する位置を容易に変更することができ、これによって、ユーザー側で打撃位置（打撃力）を変更することが可能となるだけでなく、メーカー側でも、多くの種類のハンマやアンビル等の部品を製造する必要がなくなり、部品の共通化を図ることで、製造コストを低廉化することができるものとなる。
【００２８】
また、図６に示す本発明の打撃締付工具の第４実施例のように、アンビル５に形成したコロ支持穴５２を、コロ６の直径よりも大きく形成することにより、コロ６をコロ支持穴５２内で移動可能にするとともに、このコロ６をダンパー機構８を介して中立位置に保持するようにすることができる。
このダンパー機構８は、特に限定されるものではないが、コロ６と嵌合する嵌合溝８２を表面に形成するとともに、油導通孔８２を形成したコロ保持部材８１と、このコロ保持部材８１によってコロ６を中立位置に保持するためのコロ保持部材８１の両端に配設したばね８４とからなり、コロ保持部材８１及びばね８４を配設したアンビル５に形成した空間を油で充填するとともに、充填した油が漏出しないようにＯリング８５でシールするようにしている。
なお、ハンマ２についても、必要に応じて、同様の構成を採用することができる。
【００２９】
これにより、ハンマ２の打撃部がアンビル５の打撃受け部を打撃したときに、コロ６が中立位置からコロ支持穴５２内で移動するが、このとき、ダンパー機構８が機能し、発生する打撃音や振動を一層軽減することができるものとなる。
【００３０】
以上、本発明の打撃締付工具について、複数の実施例に基づいて説明したが、本発明は上記実施例に記載した構成に限定されるものではなく、各実施例の構成を適宜組み合わせる等、その趣旨を逸脱しない範囲において適宜その構成を変更することが可能である。
【００３１】
【発明の効果】
本発明の打撃締付工具によれば、ハンマの打撃部やアンビルの打撃受け部を、コロ支持穴に回転及び交換可能に配設したコロで構成するようにしているので、ハンマの打撃部やハンマが打撃するアンビルの打撃受け部が消耗しにくく、耐久性を有するとともに、消耗した場合にも、コロのみを交換すればよいため補修が容易で、さらに、ハンマの打撃部がアンビルの打撃受け部を打撃したときに発生する打撃音や振動を軽減することができる。
これによって、従来の打撃締付工具において問題点とされていた、ハンマの打撃部やアンビルの打撃受け部の消耗によって打撃締付工具の締付能力が低下する点、維持コストが高くつく点、打撃音や振動が大きい点、等の多くの問題点を一挙に解決できる。
【００３２】
また、ハンマ又はアンビルに複数個のコロ支持穴を形成するとともに、該コロ支持穴に選択的にコロを配設することにより、前記ハンマが遊転する角度を変更可能にすることにより、ハンマやアンビル全体を交換することなく、コロの配設位置を変更するだけで、ハンマの打撃部がアンビルの打撃受け部を打撃する位置を容易に変更することができ、これにより、ユーザー側で打撃位置を変更することが可能となるだけでなく、メーカー側でも、多くの種類のハンマやアンビル等の部品を製造する必要がなくなり、部品の共通化を図ることで、製造コストを低廉化することができる。
【００３３】
さらに、ハンマ又はアンビルに形成したコロ支持穴を、コロの直径よりも大きく形成することにより、コロをコロ支持穴内で移動可能にするとともに、該コロをダンパー機構を介して中立位置に保持するようにすることにより、ハンマの打撃部がアンビルの打撃受け部を打撃したときに発生する打撃音や振動を一層軽減することができる。
【図面の簡単な説明】
【図１】本発明の打撃締付工具の第１実施例を示す全体正面図である。
【図２】同要部を示し、（Ａ１）は打撃位置における正面図、（Ｂ１）は（Ａ１）のＡ−Ａ断面図、（Ａ２）は乗越位置における正面図、（Ｂ２）は（Ａ２）のＡ−Ａ断面図である。
【図３】同要部を示し、（Ａ）は打撃位置における正面図、（Ｂ１）は（Ａ１）のＡ−Ａ断面に相当する中間位置における断面図、（Ｂ２）は同打撃位置における断面図、（Ｂ３）は同乗越位置における断面図、（Ｂ４）の同乗越直後の断面図である。
【図４】本発明の打撃締付工具の第２実施例の要部を示し、（Ａ）は打撃位置における正面図、（Ｂ１）は（Ａ１）のＡ−Ａ断面に相当する中間位置における断面図、（Ｂ２）は同打撃位置における断面図、（Ｂ３）は同乗越位置における断面図、（Ｂ４）の同乗越直後の断面図である。
【図５】本発明の打撃締付工具の第３実施例の要部を示し、（Ａ）はハンマの前端面の説明図、（Ｂ）はアンビルの後端面の説明図、（Ｃ１）はハンマが遊転する角度を３６０°（ハンマの相対的な１回転当たり１打撃）に、（Ｃ２）はハンマが遊転する角度を１８０°（ハンマの相対的な１回転当たり２打撃）に、（Ｃ３）はハンマが遊転する角度を１２０°（ハンマの相対的な１回転当たり３打撃）に、それぞれ設定した状態を示す説明図である。
【図６】本発明の打撃締付工具の第４実施例の要部を示し、（Ａ）は乗越位置における正面図、（Ｂ）は（Ａ）のＡ−Ａ断面図である。
【符号の説明】
１　　スピンドル
１１　カム溝
２　　ハンマ
２１　カム溝
２２　コロ支持穴
２３　止め輪
２４　突部
３　　鋼球
４　　ばね
５　　アンビル
５１　先端
５２　コロ支持穴
５３　止め輪
６　　コロ
７　　コロ
８　　ダンパー機構
８１　コロ保持部材
８２　嵌合溝
８３　油導通孔
８４　ばね
８５　Ｏリング
Ｈ　　ハウジング
【図１】
2004050323.tif 000003
【図２】
2004050323.tif 000004
【図３】
2004050323.tif 000005
【図４】
2004050323.tif 000006
【図５】
2004050323.tif 000007
【図６】
2004050323.tif 000008